(57)【要約】【課題】アーク遮断を確実にできるコネクタを提供する。【解決手段】メスコネクタ２００と嵌合可能なオスコネクタ１００であって、メスコネクタ２００におけるジャック端子２３１を接続されるプラグ端子１２２，１２３と、外部へ電力を出力する出力端子１２４，１２５と、プラグ端子１２２，１２３と出力端子１２４，１２５とを導通状態と非導通状態とに切り替える可動接点１７０及び固定接点１６０と、メスコネクタ２００の嵌合及び抜去に応じて導通状態と非導通状態とを切り替えるスイッチ１３０と、所定位置までメスコネクタ２００が抜去されたときにスイッチ１３０による導通状態から非導通状態への切り替えを実行する切替制御部としてのディテクトコンタクト１４０と、を備える。【選択図】図８
2020035636.tif 000002
【特許請求の範囲】
【請求項１】
他のコネクタと嵌合可能なコネクタであって、
前記他のコネクタにおける他の接続端子を接続される接続端子と、
外部へ電力を出力する出力端子と、
前記接続端子と前記出力端子とを導通状態と非導通状態とに切り替える可動接点及び固定接点と、
前記他のコネクタの嵌合及び抜去に応じて前記導通状態と前記非導通状態とを切り替えるスイッチと、
所定位置まで前記他のコネクタが抜去されたときに前記スイッチによる前記導通状態から前記非導通状態への切り替えを実行する切替制御部と、
を備えるコネクタ。
【請求項２】
前記スイッチは、前記他のコネクタの嵌合方向に沿って摺動可能であり、前記他のコネクタが嵌合していないとき基準位置に位置し、前記他のコネクタが嵌合するとき前記他のコネクタにより押されて前記基準位置から移動し、
前記可動接点は前記スイッチの移動に応じて前記固定接点と接触し、
前記切替制御部は、前記可動接点と前記固定接点が接触する位置にて前記スイッチの移動をロックするロック部と、前記他のコネクタが所定量抜去したことを検知したときに前記ロック部によるロックを解除する検知部とを有する、
請求項１に記載のコネクタ。
【請求項３】
前記検知部は、前記他のコネクタが所定量以上嵌合されたときに前記他のコネクタにより初期状態から押し下げられ、また、前記他のコネクタが所定量抜去されたときに前記初期状態に復帰し、
前記ロック部は、前記検知部の押し下げに応じて前記スイッチに設けられる突起に係止して前記スイッチの移動をロックし、前記他のコネクタが所定量抜去されたときに前記検知部の復帰に応じて前記突起との係合を解除する、
請求項２に記載のコネクタ。
【発明の詳細な説明】
【技術分野】
【０００１】
本開示は、コネクタに関する。
【背景技術】
【０００２】
電気機器が電源より電力の供給を受ける際には、コネクタを介し電源より電気機器へ電力が供給される。コネクタは、凸状の雄型タイプのコネクタと、凹状の雌型タイプのコネクタを嵌合することにより、電気的に接続を行う。
【０００３】
近年では、地球温暖化等に対する対策の一つとして、電力損失が少ない、直流・高電圧による電力供給が検討されている。特に、データセンターやサーバなどのＩＣＴ機器においては、大量に電力を消費するため、このような電力供給が望ましい。
【０００４】
電気機器に供給される電圧が高いと、人体に影響を及ぼす場合や、電子部品の動作に影響を与える場合がある。ＩＣＴ機器の設置やメンテナンスは人により作業が行われるため、直流・高電圧の電力を供給するためのコネクタは、交流の商用電源に用いられるコネクタとは異なるものとする必要がある。
【０００５】
直流高電圧の電力供給を行う場合には、導通している状態のコネクタを引き抜くと接点間にアークが発生するため、メンテナンス等の作業に影響が出る。これを防ぐために、例えば特許文献１には、スイッチ操作によって接点を開状態に切り替えて、アーク発生を防止するコネクタが開示されている。
【先行技術文献】
【特許文献】
【０００６】
【特許文献１】特開２０１２−１０４４４８号公報
【発明の概要】
【発明が解決しようとする課題】
【０００７】
しかし、従来のコネクタではアーク遮断のためにスイッチ操作するなど、何らかのアクションを必要としていた。このため、作業員がスイッチ操作を忘れてアーク遮断機能が非作動のままコネクタ抜去する虞がある。
【０００８】
本開示は、アーク遮断を確実にできるコネクタを提供することを目的とする。
【課題を解決するための手段】
【０００９】
本発明の実施形態の一観点に係るコネクタは、他のコネクタと嵌合可能なコネクタであって、前記他のコネクタにおける他の接続端子を接続される接続端子と、外部へ電力を出力する出力端子と、前記接続端子と前記出力端子とを導通状態と非導通状態とに切り替える可動接点及び固定接点と、前記他のコネクタの嵌合及び抜去に応じて前記導通状態と前記非導通状態とを切り替えるスイッチと、所定位置まで前記他のコネクタが抜去されたときに前記スイッチによる前記導通状態から前記非導通状態への切り替えを実行する切替制御部と、を備える。
【発明の効果】
【００１０】
本開示によれば、アーク遮断を確実にできるコネクタを提供することができる。
【図面の簡単な説明】
【００１１】
【図１】実施形態に係るオスコネクタの斜視図
【図２】オスコネクタから前方カバーを除いた内部構成を示す斜視図
【図３】プラグ端子を外したオスコネクタの斜視図
【図４】オスコネクタの斜視断面図
【図５】スイッチの斜視図
【図６】ディテクトコンタクトの斜視図
【図７】カードの斜視図
【図８】メスコネクタとオスコネクタの断面図
【図９】メスコネクタがディテクトコンタクトを押し下げた状態の断面図
【図１０】メスコネクタがスイッチを押しこむ状態の断面図
【図１１】ディテクトコンタクトがスイッチをロックした状態の断面図
【図１２】メスコネクタ抜去時の断面図
【図１３】スイッチのロック解除及び接点開状態の断面図
【図１４】初期状態の突起とロック部を示す図
【図１５】ディテクトコンタクト押し下げ時の突起とロック部を示す図
【図１６】ディテクトコンタクト押し下げ時の突起とロック部を示す図
【図１７】スイッチのロック時の突起とロック部を示す図
【図１８】ロック解除時の突起とロック部を示す図
【発明を実施するための形態】
【００１２】
以下、添付図面を参照しながら実施形態について説明する。説明の理解を容易にするため、各図面において同一の構成要素に対しては可能な限り同一の符号を付して、重複する説明は省略する。
【００１３】
なお、以下の説明において、ｘ方向、ｙ方向、ｚ方向は互いに垂直な方向である。ｘ方向はオスコネクタ１００とメスコネクタ２００との嵌合方向であり、オスコネクタ１００の嵌合部１１３が開口する方向がｘ正方向であり、メスコネクタ２００の嵌合部２１１が向く方向がｘ負方向である。
【００１４】
図１を参照して、実施形態に係るコネクタとしてのオスコネクタ１００の構成について説明する。図１は、実施形態に係るオスコネクタ１００の斜視図である。
【００１５】
図１に示すオスコネクタ１００は、メスコネクタ２００（他のコネクタ）（図８参照）と接続されるものである。オスコネクタ１００及びメスコネクタ２００は直流・高電圧の電力供給に利用される。直流電源は、電圧変換や送電等における電力損失が少なく、ケーブルも太くする必要がないので、大量に電力を消費する例えばデータセンターやサーバなどのＩＣＴ機器で主に利用される。
【００１６】
オスコネクタ１００をプラグコネクタ、メスコネクタ２００をジャックコネクタとも呼ぶこともできる。オスコネクタ１００には複数のプラグ端子（接続端子）が設けられており、メスコネクタ２００にはプラグ端子と接続される複数のジャック端子（他の接続端子）が設けられている。
【００１７】
図１に示すように、オスコネクタ１００は、カバー１１０のｘ正側の端面にメスコネクタ２００と嵌合する凹状の嵌合部１１３を備える。嵌合部１１３は、カバー１１０のｘ正側端面からｘ負側に凹んで形成される。嵌合部１１３は最奥に底面１１６を有する。
【００１８】
図１に示すように、嵌合部１１３には、三本のプラグ端子１２１、１２２、１２３が設けられる。各々のプラグ端子１２１、１２２、１２３は、メスコネクタ２００の開口部２２１の内部に設けられたジャック端子２３１と接続される（図８参照）。
【００１９】
カバー１１０は、ｘ正側の前方カバー１１１と、ｘ負側の後方カバー１１２とを有する。オスコネクタ１００は、後方カバー１１２の外部に露出する出力端子１２４、１２５を備える（図３参照）。出力端子１２４はプラグ端子１２２と導通可能であり、出力端子１２５はプラグ端子１２３と導通可能である。プラグ端子１２１はＧＮＤ端子であり、プラグ端子１２２、１２３よりも長く形成され、出力端子１２４、１２５と共にカバー１１０のｘ負側端面に露出している。プラグ端子１２２、１２３は電力が供給される端子であり、例えばプラグ端子１２２が負極で、プラグ端子１２３が正極である。
【００２０】
図１に加えて図２〜図８を参照してオスコネクタ１００の内部構成を説明する。図２は、オスコネクタ１００から前方カバー１１１を除いた内部構成を示す斜視図である。図３は、図２からプラグ端子１２１、１２２、１２３を除いた構成の斜視図であり、図４はその斜視断面図である。図５はスイッチ１３０の斜視図である。図６はディテクトコンタクト１４０の斜視図である。図７はカード１５０の斜視図である。図８は、メスコネクタ２００とオスコネクタ１００の断面図である。
【００２１】
図４に示すように、オスコネクタ１００は、カバー１１０の内部に二組の固定接点１６０と可動接点１７０とを備える。固定接点１６０と可動接点１７０は、互いに接触している接点閉状態と、互いに離れている接点開状態とに切り替えられ、プラグ端子１２２、１２３と出力端子１２４、１２５とを導通状態と非導通状態とに切り替える接点対として機能する。一方の接点対では、固定接点１６０は固定ばね１６１を介して出力端子１２４に接続され、可動接点１７０は可動ばね１７１を介してプラグ端子１２２に接続される。他方の接点対では、固定接点１６０は固定ばね１６１を介して出力端子１２５に接続され、可動接点１７０は可動ばね１７１を介してプラグ端子１２３に接続される。可動ばね１７１は、外力が加えられない無負荷状態では可動接点１７０が固定接点から離間する。可動ばね１７１は、アクチュエータ（スイッチ１３０、カード１５０）により加わる外力によって弾性変形して可動接点１７０を固定接点１６０に接触させ、外力が無くなると無負荷状態のときの基準位置に弾性復帰する。
【００２２】
また、図２〜図４に示すように、オスコネクタ１００は、カバー１１０の内部にスイッチ１３０と、ディテクトコンタクト１４０と、カード１５０とを備える。スイッチ１３０とカード１５０は、固定接点１６０と可動接点１７０とを接点閉状態と接点開状態との間で切り替えるアクチュエータを構成する。ディテクトコンタクト１４０は、スイッチ１３０の移動をロックし、またロック状態を解除して、接点閉状態から接点開状態への切り替えタイミングを調整する切替制御部として機能する。
【００２３】
スイッチ１３０は、ｘ方向に摺動可能に設置されている。スイッチ１３０は、図３〜図５に示すように、ｙ方向中央に配置される本体１３１と、本体１３１のｘ正側端部かつｚ正側に配置される押圧部１３２と、本体１３１のｚ負側からｘ正側に突出し、ｙ方向に対向する一対の中央壁１３３と、本体１３１のｙ方向両側に配置される一対のガイド１３４と、本体１３１のｘ負側端部に設けられるカードの受け部１３５とを有する。また、本体１３１の押圧部１３２下方にはｘ方向に貫通する貫通孔１３７が設けられる。一対の中央壁１３３には、相互の対向側に突出する突起１３６がそれぞれ設けられる。スイッチ１３０は、コネクタ非嵌合時にはカバー１１０内部の基準位置（図８の位置）に配置される。
【００２４】
スイッチ１３０と後方カバー１１２との間にはｘ方向に収縮可能なコイルばね１８０が取り付けられている。これにより、スイッチ１３０がｘ負側へ移動したときにコイルばね１８０が収縮して、スイッチ１３０にｘ正側への付勢力が加わる。
【００２５】
スイッチ１３０は、嵌合部１１３にメスコネクタ２００が嵌合する際に、メスコネクタ２００の端面２１２によって押圧部１３２がｘ負側に押されて移動してコイルばね１８０を収縮させ、嵌合部１１３からメスコネクタ２００が抜去される際に、コイルばね１８０の付勢力によってｘ正側に移動して基準位置に戻る。
【００２６】
カード１５０は、スイッチ１３０のｘ負側に連結される。図７に示すように、カード１５０は、ｙ方向に延在する本体１５１と、本体１５１からｘ正側に配置されスイッチを係止する係止部１５２と、本体１５１のｙ方向両端からｚ正側に伸びる一対のアーム１５３と、アーム１５３の先端からｙ方向外側に突出して設けられる一対の回転軸１５４と、本体１５１のｘ負側に設けられる挟持部１５５とを有する。
【００２７】
係止部１５２は、その先端が円柱形状であり、受け部１３５に挿入されてスイッチ１３０からの力を受ける。回転軸１５４は、図３、図４に示すように、後方カバー１１２の回転孔１１４に回転自在に嵌合される。これにより、カード１５０は、スイッチ１３０から係止部１５２を介して加わる力に応じて回転軸１５４を中心としてｘ負側及びｘ正側に回動可能とされている。挟持部１５５は、ｘ方向中央の隙間に可動ばね１７１を挿入し、カード１５０の回動に応じて可動ばね１７１にｘ負側またはｘ正側に力を加えるように移動可能である。
【００２８】
ディテクトコンタクト１４０は貫通孔１３７に通され、基部１４１がｘ負側でカバー１１０に固定され、先端部が貫通孔１３７からスイッチ１３０のｘ正側に出て中央壁１３３の間のスペースに配置される。ディテクトコンタクト１４０は、基部１４１から略直角に曲がってｘ正方向に延在するアーム１４２を有する。アーム１４２は先端中央に検知部１４３を有し、検知部１４３のｙ方向両側にロック部１４４を有する、三つ又のフォーク形状をとる。検知部１４３はアーム１４２よりｚ正側に突出する山型形状である。ロック部１４４は、アーム１４２よりｚ負側に伸びる。ロック部１４４の先端１４４Ａの形状は、検知部１４３に対してｙ方向外側に突出している。
【００２９】
図１に示すように、嵌合部１１３には、底面１１６のｙ方向中央かつｚ負側端部からｚ負側の周面にかけて、コネクタの内部空間と連通する開口１１５が設けられる。検知部１４３は、初期状態では開口１１５から嵌合部１１３の中に突出している。検知部１４３は片持ち梁状の板材であり、メスコネクタ２００が所定量以上オスコネクタ１００に嵌合されたときにメスコネクタ２００によりｚ負側に押し下げられ、またメスコネクタ２００がオスコネクタ１００との嵌合状態から所定量抜去されたときにｚ正側に弾性復帰して初期状態に戻る。
【００３０】
ロック部１４４は、接点閉状態となる位置にてスイッチ１３０をロックする。ロック部１４４は、検知部１４３の押し下げに応じて、先端１４４Ａをスイッチ１３０の突起１３６に係止させてスイッチ１３０の移動をロックし、メスコネクタ２００が所定量抜去されるまでスイッチ１３０のロック状態を保持する。ロック部１４４は、検知部１４３の弾性復帰に応じて、検知部１４３と共に先端１４４Ａを上方へ移動させて、突起１３６との係合を解除する（図１３、図１８など参照）。検知部１４３は、ロック部１４４にとっては、メスコネクタ２００が所定量抜去されたことを検知する機能を有する。また、ロック部１４４は、固定接点１６０と可動接点１７０とのかい離距離を十分に確保できたときにロックを解除するようして、接点閉状態から開状態への切り替えをスムーズに行うよう構成できる。このようなロック解除のタイミング調整は、例えばオスコネクタ１００とメスコネクタ２００とが嵌合する前の初期状態における検知部１４３の開口１１５から嵌合部１１３内へのｚ方向への突出量やｘ方向の突出位置などを適宜変更することによって調整可能である。
【００３１】
プラグ端子１２１、１２２、１２３及び出力端子１２４、１２５、固定接点１６０、固定ばね１６１、可動接点１７０、可動ばね１７１や、ジャック端子２３１は、金属などの導電性材料で形成される。カバー１１０、スイッチ１３０は、合成樹脂などの絶縁材料で形成される。ディテクトコンタクト１４０は、弾性変形可能であれば導電性材料でも絶縁材料でもよい。
【００３２】
図８に加えて図９〜図１８を参照してメスコネクタ２００と嵌合動作中のオスコネクタ１００の接点開閉動作について説明する。図８〜図１３の各図は、動作の各段階のオスコネクタ１００の内部状態を示す断面図である。図８〜図１３の断面図は、図１に示すＡ−Ａ断面であり、プラグ端子１２２の先端部分の断面をｙ正側から視た図である。また、図８〜図１３の断面図では、スイッチ１３０のうちｘ正側の部分（押圧部１３２、中央壁１３３）は図５に示すＢ−Ｂ断面で図示されている。つまり、図８〜図１３の断面図では、スイッチ１３０のうちｙ正側の中央壁１３３より図面手前側の部分が除去された表現になっている。図１４〜図１８は、動作の各段階におけるロック部１４４と突起１３６との関わりを示す図である。
【００３３】
図８は、オスコネクタ１００とメスコネクタ２００とが嵌合する前の初期状態を示す。図８に示す状態では、スイッチ１３０やカード１５０にｘ方向の力が加わっていないので、可動ばね１７１は基準位置にあり、可動接点１７０は固定接点１６０から離間した非導通状態となっている。図１４は、初期状態の突起１３６とロック部１４４を示す図である。図８に示すように、初期状態では検知部１４３は外力を受けないので、開口１１５から嵌合部１１３内に出ており、アーム１４２は水平方向に延在している。このため、図１４に示すように、ロック部１４４も突起１３６よりも上方に位置しており、突起１３６とロック部１４４とは関わっていない。
【００３４】
図９は、メスコネクタ２００がディテクトコンタクト１４０を押し下げた状態の断面図である。図１５は、ディテクトコンタクト１４０押し下げ時の突起１３６とロック部１４４を示す図である。図９に示すように、メスコネクタ２００の嵌合部２１１がオスコネクタ１００の嵌合部１１３に嵌合しはじめ、メスコネクタ２００の端面２１２によって検知部１４３が押し下げられる。検知部１４３の押し下げと連動して、図１５に示すようにロック部１４４の先端１４４Ａが突起１３６より下方まで下がる。メスコネクタ２００に押し下げられたディテクトコンタクト１４０はそのままメスコネクタ２００に抑えられて復帰しない。このとき、図９に示すようにプラグ端子１２２が開口部２２１に進入して内部のジャック端子２３１と接触するが、スイッチ１３０がまだメスコネクタ２００によって押し込まれず基準位置にいるため、固定接点１６０と可動接点１７０とが接点開状態を維持しメスコネクタ２００とオスコネクタ１００との間は導通状態とならない。
【００３５】
図１０は、メスコネクタ２００がスイッチ１３０を押しこむ状態の断面図である。図１６は、スイッチ１３０の押し込みによるディテクトコンタクト１４０の押し下げ時の突起１３６とロック部１４４を示す図である。図１０に示すように、端面２１２は押圧部１３２に突き当たり、メスコネクタ２００の嵌合が進むに伴って押圧部１３２をｘ負側へ押し始め、スイッチ１３０も基準位置からｘ負側に移動しはじめる。
【００３６】
スイッチ１３０の移動に応じて、受け部１３５が嵌合されているカード１５０の係止部１５２をｘ負方向に押す。係止部１５２は、カード１５０の本体１５１にスイッチ１３０からの力を伝達する。カード１５０は、スイッチ１３０から伝達された力によって回転軸１５４（図２〜図４参照）を中心としてｘ負側に回動する。係止部１５２は、カード１５０の回動に応じて受け部１３５の溝内を下方に移動する。カード１５０の回動に応じて挟持部１５５が可動ばね１７１をｘ負側へ押圧し、可動接点１７０が移動して固定接点１６０に接触して接点閉状態に切り替わり、メスコネクタ２００とオスコネクタ１００とが導通する。
【００３７】
このとき、図１６に示すように、スイッチ１３０の移動に伴い突起１３６もｘ負方向へ移動するため、突起１３６がロック部１４４の先端１４４Ａを押し下げ、ディテクトコンタクト１４０がさらに押し下げられる。
【００３８】
図１１は、ディテクトコンタクト１４０がスイッチ１３０をロックした状態の断面図である。図１７は、スイッチ１３０ロック時の突起１３６とロック部１４４を示す図である。図１１に示すように、メスコネクタ２００の嵌合が進み、端面２１２がオスコネクタ１００の底面１１６に達すると、図１７に示すように、突起１３６がロック部１４４の先端１４４Ａを通過する。ここで、図６に示したように、ロック部１４４の先端１４４Ａはｙ方向外側へ突出した形状なので、図１７に示すように、ロック部１４４の先端１４４Ａよりも基部側の部分と中央壁１３３との間には隙間ｄができる。突起１３６のｙ方向高さはこの隙間ｄより小さく形成される。このため、突起１３６がロック部１４４の先端１４４Ａを通過して先端１４４Ａよりｘ負側にくると、突起１３６はロック部１４４と接触しなくなり隙間ｄに収まる。ロック部１４４は、先端１４４Ａが突起１３６による押し下げ力を受けなくなるので上方に復帰する。ただし、検知部１４３はメスコネクタ２００に押し下げられたままなので、ここでのロック部１４４の上方への復帰量は、スイッチ１３０の突起１３６が先端１４４Ａを押し下げた量（図１６参照）の分だけであり、図１７に示すように突起１３６と先端１４４Ａとがｘ方向から視たときに重なる位置となる。これにより、ロック部１４４の先端１４４Ａがスイッチ１３０の突起１３６のｘ正側に位置するので、スイッチ１３０がｘ正側に移動しようとしても突起１３６がロック部１４４の先端１４４Ａに引っかかってロックされ、スイッチ１３０のｘ正側への移動が規制される。
【００３９】
図１２は、メスコネクタ２００抜去時の断面図である。図１２に示すように、メスコネクタ２００をオスコネクタ１００から抜去しはじめ、端面２１２が底面１１６から離れると、押圧部１３２が端面２１２から離れるためスイッチ１３０は力を受けなくなる。このためスイッチ１３０はコイルばね１８０の付勢力によってｘ正側に移動して基準位置に復帰しようとするが、図１７に示すようにディテクトコンタクト１４０のロック部１４４がスイッチ１３０の突起１３６をロックしているので移動できない。このためスイッチ１３０は、メスコネクタ２００が底面１１６に突き当たっていたときの位置に保持される。
【００４０】
図１３は、スイッチ１３０のロック解除及び接点開状態の断面図である。図１８は、ロック解除時の突起１３６とロック部１４４を示す図である。図１３に示すように、メスコネクタ２００が一定位置まで抜去されると、メスコネクタ２００による押し下げが無くなって検知部１４３が開口１１５から嵌合部１１３内に復帰する。これにより、図１８に示すようにロック部１４４が上方に移動してディテクトコンタクト１４０が初期位置に復帰する。これにより、ロック部１４４の先端１４４Ａと突起１３６との係合が外れ、ディテクトコンタクト１４０によるスイッチ１３０のロックが解除されて、コイルばね１８０の付勢力によってスイッチ１３０がｘ正側の初期位置へ復帰する。
【００４１】
スイッチ１３０の初期位置への復帰に応じて、受け部１３５が嵌合されているカード１５０の係止部１５２がｘ正方向に押される。係止部１５２は、カード１５０の本体１５１にスイッチ１３０からの力を伝達する。カード１５０は、スイッチ１３０から伝達された力によって回転軸１５４（図２〜図４参照）を中心としてｘ正側に回動する。係止部１５２は、カード１５０の回動に応じて受け部１３５の溝内を上方に移動する。カード１５０の回動に応じて挟持部１５５による可動ばね１７１へのｘ負側への押圧が解除されて、可動ばね１７１が無負荷状態のときの基準位置に弾性復帰する。これにより可動接点１７０がｘ正方向に移動して瞬間的に可動接点１７０が固定接点１６０から開離して、接点開状態に切り替わる。接点が開離した際、接点の下方に設置した永久磁石１８１の磁力によりアークが消弧される。この後に、プラグ端子１２２がジャック端子２３１と離間して、オスコネクタ１００とメスコネクタ２００が切り離される。
【００４２】
このように、本実施形態のオスコネクタ１００では、メスコネクタ２００が所定位置まで抜去されたときにスイッチ１３０による接点閉状態から接点開状態への切り替えが実行される。これにより、メスコネクタ２００を抜去するだけで接点開状態への切り替えと連動して自動的にアーク遮断機能を作動できるので、アーク遮断を確実にできる。
【００４３】
また、本実施形態でのスイッチ１３０の切り替えの制御は、ディテクトコンタクト１４０により行う。ディテクトコンタクト１４０は、接点閉状態となる位置にてスイッチ１３０の移動をロックするロック部１４４と、メスコネクタ２００が所定量抜去したことを検知する検知部１４３とを含み、検知部１４３による検知に応じて、ロック部１４４によりスイッチ１３０のロックを解除する。より詳細には、ディテクトコンタクト１４０は、メスコネクタ２００が所定量抜去したときに検知部１４３の弾性復帰に応じてロック部１４４が突起１３６との係合を解除することによって、スイッチ１３０による接点開状態への切り替えを実行する。
【００４４】
この構成により、メスコネクタ２００の嵌合時にメスコネクタ２００がスイッチ１３０やディテクトコンタクト１４０に加えられた力を利用して抜去時に接点を開離する力を発生させることができるので、アーク遮断のために特別な手順や力を加える必要がなく、より簡易にアーク遮断機能を実行でき、作業者の負担を軽減できる。また、ディテクトコンタクト１４０は、例えばオスコネクタ１００とメスコネクタ２００とが嵌合する前の初期状態における検知部１４３の開口１１５から嵌合部１１３内へのｚ方向への突出量やｘ方向の突出位置などを適宜変更することによって、接点開状態と接点閉状態との切り替えタイミングを適宜調整できる。
【００４５】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００４６】
上記実施形態では、オスコネクタ１００がディテクトコンタクト１４０を備える構成を例示したが、メスコネクタ２００の抜去時に、所定位置まで抜去されたときにスイッチ１３０による接点閉状態から接点開状態への切り替えを実行する切替制御部の機能を有していれば、ディテクトコンタクト１４０以外の要素を適用してもよい。
【符号の説明】
【００４７】
１００    オスコネクタ（コネクタ）
１２１、１２２、１２３    プラグ端子（接続端子）
１２４、１２５    出力端子
１３０    スイッチ
１４０    ディテクトコンタクト（切替制御部）
１４３    検知部
１４４    ロック部
１６０    固定接点
１７０    可動接点
２００    メスコネクタ（他のコネクタ）
２３１    ジャック端子（他の接続端子）
【図１】
2020035636.tif 000003
【図２】
2020035636.tif 000004
【図３】
2020035636.tif 000005
【図４】
2020035636.tif 000006
【図５】
2020035636.tif 000007
【図６】
2020035636.tif 000008
【図７】
2020035636.tif 000009
【図８】
2020035636.tif 000010
【図９】
2020035636.tif 000011
【図１０】
2020035636.tif 000012
【図１１】
2020035636.tif 000013
【図１２】
2020035636.tif 000014
【図１３】
2020035636.tif 000015
【図１４】
2020035636.tif 000016
【図１５】
2020035636.tif 000017
【図１６】
2020035636.tif 000018
【図１７】
2020035636.tif 000019
【図１８】
2020035636.tif 000020